(57)【要約】    【課題】      相手側ＡＤＳＬモデム装置との通信距離を的確に把握し、従来、利用可能であった通信距離を越えてＡＤＳＬ通信の利用を可能とすること。    【解決手段】  トランシーバ１１のプロセッサ２０において、ＩＴＵ−Ｔにより定められた規格Ｇ．９９２．１又はＧ．９９２．２におけるＲＥＶＥＲＢ信号の受信レベルから相手側ＡＤＳＬモデム装置２との通信距離を予測し、予測した通信距離に基づいてＲＡＭ３３に格納された信号エネルギの減衰を示すテーブルを参照して送信信号に割り当てる信号エネルギのうち、高周波数領域の信号エネルギを低周波数領域に集中させて通信を行う。  【選択図】      図２
2005057448.tif 000002
【特許請求の範囲】
【請求項１】
ＩＴＵ−Ｔにより定められた規格Ｇ．９９２．１又はＧ．９９２．２におけるＲＥＶＥＲＢ信号を送受信する送受信手段と、前記ＲＥＶＥＲＢ信号の受信レベルに応じて相手側ＡＤＳＬモデム装置との通信距離を予測する予測手段と、を具備することを特徴とするＡＤＳＬモデム装置。
【請求項２】
前記予測手段は、前記ＲＥＶＥＲＢ信号を構成する複数のキャリアのうち、いずれか２つのキャリアの受信レベルを比較することで相手側ＡＤＳＬモデム装置との通信距離を予測することを特徴とする請求項１記載のＡＤＳＬモデム装置。
【請求項３】
前記予測手段が予測した通信距離に応じて送信信号に割り当てる信号エネルギを低周波数帯域に集中させて通信を行う通信手段をさらに具備することを特徴とする請求項１又は請求項２記載のＡＤＳＬモデム装置。
【請求項４】
前記通信手段は、相手側ＡＤＳＬモデム装置との通信距離が大きくなるほど高周波数帯域に割り当てる信号エネルギを小さくする一方、低周波数帯域に割り当てる信号エネルギを大きくすることを特徴とする請求項３記載のＡＤＳＬモデム装置。
【請求項５】
リモート側に配置されセンター側のＡＤＳＬモデム装置との通信距離を予測することを特徴とする請求項１から請求項４のいずれかに記載のＡＤＳＬモデム装置。
【請求項６】
センター側に配置されリモート側のＡＤＳＬモデム装置との通信距離を予測することを特徴とする請求項１から請求項４のいずれかに記載のＡＤＳＬモデム装置。
【請求項７】
ＩＴＵ−Ｔにより定められた規格Ｇ．９９２．１又はＧ．９９２．２におけるＲＥＶＥＲＢ信号を受信し、前記ＲＥＶＥＲＢ信号の受信レベルに応じて相手側ＡＤＳＬモデム装置との通信距離を予測し、予測した通信距離に応じて送信信号に割り当てる信号エネルギを低周波数帯域に集中させて通信を行うことを特徴とするＡＤＳＬモデム装置の通信方法。
【請求項８】
相手側ＡＤＳＬモデム装置との通信距離が大きくなるほど高周波数帯に割り当てる信号エネルギを小さくする一方、低周波数帯に割り当てる信号エネルギを大きくすることを特徴とする請求項７記載のＡＤＳＬモデム装置の通信方法。
【発明の詳細な説明】
【技術分野】
【０００１】
本発明は、ＡＤＳＬモデム装置及びその通信方法に関する。
【背景技術】
【０００２】
ＡＤＳＬ通信においては、電話局（センター側）と加入者宅（リモート側）を結ぶ加入者線の両端にＡＤＳＬモデム装置を取り付け、このＡＤＳＬモデム装置間での高速なデータ通信を実現する。しかしながら、ＡＤＳＬ通信においては、使用帯域として数十ＫＨｚから１ＭＫＨｚ程度の帯域を使用しているので、高域の減衰率が大きいために信号の通信距離に大きな制限を受ける。
【０００３】
このような制限に対応するために、センター側及びリモート側の双方のＡＤＳＬモデム装置でイニシャライズ手順において受信した信号のゲイン特性を検出し、そのゲイン特性を互いに通知し、相手側から通知されたゲイン特性に基づいて以後の送信信号のゲイン特性を補正することにより、高域の減衰が大きくても信号の通信距離の延長を可能とする技術が開示されている（例えば、特許文献１参照）。
【特許文献１】特開２００３−８７３５２号公報（図４、図５）
【発明の開示】
【発明が解決しようとする課題】
【０００４】
しかしながら、上記従来の技術を用いた場合であっても、通信距離が長くなると減衰やノイズの影響などによって最大転送レートが下がるため、通常はセンター側である電話局から数ｋｍ（例えば、１．５Ｍビット／秒の伝送で約５．５ｋｍ、６Ｍビット／秒で約１．８ｋｍ）までの範囲でしか利用できないという問題がある。
【０００５】
一方、近年、ＡＤＳＬ通信における通信速度の高速化に伴い、従来、利用可能であった通信距離を越えた範囲でＡＤＳＬ通信の利用を可能とする要請が高まってきている。しかし、従来、利用可能であった通信距離を越えた範囲でＡＤＳＬ通信を行うためには、相手側ＡＤＳＬモデム装置との通信距離を的確に把握し、その通信距離に応じて高域の減衰を回避しなければならないという問題がある。
【０００６】
本発明は、かかる実情に鑑みて為されたものであり、相手側ＡＤＳＬモデム装置との通信距離を的確に把握し、従来、利用可能であった通信距離を越えてＡＤＳＬ通信の利用を可能とするＡＤＳＬモデム装置及びその通信方法を提供することを目的とする。
【課題を解決するための手段】
【０００７】
本発明は、ＩＴＵ−Ｔにより定められた規格Ｇ．９９２．１又はＧ．９９２．２におけるＲＥＶＥＲＢ信号を交換し、そのＲＥＶＥＲＢ信号の受信レベルから相手側ＡＤＳＬモデム装置との通信距離を予測し、予測した通信距離に応じて高周波数帯域の信号エネルギを低周波数帯域に低周波数帯域に集中させて通信を行うようにしたものである。
【発明の効果】
【０００８】
本発明に係るＡＤＳＬモデム装置及びその通信方法によれば、相手側ＡＤＳＬモデム装置との通信距離を的確に把握することができ、従来、利用可能であった通信距離を越えてＡＤＳＬ通信の利用を可能とすることができる。
【発明を実施するための最良の形態】
【０００９】
本発明の第１の態様に係るＡＤＳＬモデム装置は、ＩＴＵ−Ｔにより定められた規格Ｇ．９９２．１又はＧ．９９２．２におけるＲＥＶＥＲＢ信号を送受信する送受信手段と、前記ＲＥＶＥＲＢ信号の受信レベルに応じて相手側ＡＤＳＬモデム装置との通信距離を予測する予測手段と、を具備する構成を採る。
【００１０】
この構成によれば、ＩＴＵ−Ｔにより定められた規格Ｇ．９９２．１又はＧ．９９２．２におけるＲＥＶＥＲＢ信号の受信レベルに応じて相手側ＡＤＳＬモデム装置との通信距離を予測することができるので、通信距離を予測するための新たな信号を必要としないで通信距離を予測することができる。
【００１１】
本発明の第２の態様は、第１の態様に係るＡＤＳＬモデム装置において、前記予測手段は、前記ＲＥＶＥＲＢ信号を構成する複数のキャリアのうち、いずれか２つのキャリアの受信レベルを比較することで相手側ＡＤＳＬモデム装置との通信距離を予測する構成を採る。
【００１２】
この構成によれば、ＲＥＶＥＲＢ信号を構成する複数のキャリアのうち、いずれか２つのキャリアの受信レベルを比較することで相手側ＡＤＳＬモデム装置との通信距離を予測するので、通信距離に応じて減衰する信号エネルギの特性を利用して的確に通信距離を予測することができる。
【００１３】
本発明の第３の態様は、第１又は第２の態様に係るＡＤＳＬモデム装置において、前記予測手段が予測した通信距離に応じて送信信号に割り当てる信号エネルギを低周波数帯域に集中させて通信を行う通信手段をさらに具備する構成を採る。
【００１４】
この構成によれば、予測された通信距離に応じて送信信号に割り当てる信号エネルギを低周波数帯域に集中させて通信を行うので、通信距離による信号エネルギの減衰の影響を抑制しつつ通信を行うことができる。
【００１５】
本発明の第４の態様は、第３の態様に係るＡＤＳＬモデム装置において、前記通信手段は、相手側ＡＤＳＬモデム装置との通信距離が大きくなるほど高周波数帯域に割り当てる信号エネルギを小さくする一方、低周波数帯域に割り当てる信号エネルギを大きくする構成を採る。
【００１６】
この構成によれば、相手側ＡＤＳＬモデム装置との通信距離が大きくなるほど高周波数帯域に割り当てる信号エネルギを小さくする一方、低周波数帯域に割り当てる信号エネルギを大きくするので、通信距離の大きさに関わらず影響の小さい低周波数帯域で信号を送信することができる。この結果、従来、利用可能であった通信距離を越えてＡＤＳＬ通信の利用を可能とすることができる。
【００１７】
本発明の第５の態様は、第１から第４のいずれかの態様に係るＡＤＳＬモデム装置において、リモート側に配置されセンター側のＡＤＳＬモデム装置との通信距離を予測する構成を採る。
【００１８】
この構成によれば、リモート側において、センター側のＡＤＳＬモデム装置との通信距離を確実に予測することができる。
【００１９】
本発明の第６の態様は、第１から第４のいずれかの態様に係るＡＤＳＬモデム装置において、センター側に配置されリモート側のＡＤＳＬモデム装置との通信距離を予測する構成を採る。
【００２０】
この構成によれば、センター側において、リモート側のＡＤＳＬモデム装置との通信距離を確実に予測することができる。
【００２１】
本発明の第７の態様に係るＡＤＳＬモデム装置の通信方法は、ＩＴＵ−Ｔにより定められた規格Ｇ．９９２．１又はＧ．９９２．２におけるＲＥＶＥＲＢ信号を受信し、前記ＲＥＶＥＲＢ信号の受信レベルに応じて相手側ＡＤＳＬモデム装置との通信距離を予測し、予測した通信距離に応じて送信信号に割り当てる信号エネルギを低周波数帯域に集中させて通信を行うようにしたものである。
【００２２】
この方法によれば、ＩＴＵ−Ｔにより定められた規格Ｇ．９９２．１又はＧ．９９２．２におけるＲＥＶＥＲＢ信号の受信レベルに応じて相手側ＡＤＳＬモデム装置との通信距離を予測することができるので、通信距離を予測するための新たな信号を必要としないで通信距離を予測することができる。また、予測された通信距離に応じて送信信号に割り当てる信号エネルギを低周波数帯域に集中させて通信を行うので、通信距離による信号エネルギの減衰の影響を抑制しつつ通信を行うことができる。
【００２３】
本発明の第８の態様は、第７の態様に係るＡＤＳＬモデム装置の通信方法において相手側ＡＤＳＬモデム装置との通信距離が大きくなるほど高周波数帯に割り当てる信号エネルギを小さくする一方、低周波数帯に割り当てる信号エネルギを大きくするようにしたものである。
【００２４】
この方法によれば、相手側ＡＤＳＬモデム装置との通信距離が大きくなるほど高周波数帯域に割り当てる信号エネルギを小さくする一方、低周波数帯域に割り当てる信号エネルギを大きくするので、通信距離の大きさに関わらず影響の小さい低周波数帯域で信号を送信することができる。この結果、従来、利用可能であった通信距離を越えてＡＤＳＬ通信の利用を可能とすることができる。
【００２５】
以下、本発明の実施の形態について、図面を参照して詳細に説明する。
【００２６】
図１は、本発明の一実施の形態に係るＡＤＳＬモデム装置が適用されるリモート（ＡＴＵ−Ｒ）側の通信システムの概略構成を示す図である。同図に示す通信システムは、公衆回線網又はこれと同等の回線網（以下、回線という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００２７】
ＡＤＳＬモデム装置２は、ハンドシェイク手順及びイニシャライズ手順を実行するトランシーバ１１と、このトランシーバ１１を含む全体の動作を制御するホスト１２とを備えている。トランシーバ１１の回線側端部はアナログフロントエンド（以下、ＡＦＥという）１３を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。また、回線から到来したアナログ信号はハイブリッド１６を介してレシーバ１７で受信されアナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００２８】
図２は、トランシーバ１１の機能ブロック図である。プロセッサ２０は、データ通信（ショータイム）が開始される前段で、ハンドシェイク手順を実行する機能を備える部分である。
【００２９】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、ＩＦＦＴという）するＩＦＦＴ部２６から構成されている。
【００３０】
トランシーバ１１の受信側は、受信信号のサンプリングデータを高速フーリエ変換（以下、ＦＦＴという）するＦＦＴ部２７、ＦＦＴ出力信号のコンステレーションからデータを復号し、かつコンステレーション座標上での位相を補正するコンステレーション復号化／ＦＥＱ部２８、送信側でトーンオーダリングされた各キャリアに割り付けられているデータを元に戻すトーンデオーダリング部２９、受信データをビタビ復号するビタビ復号化部３０、送信側で並べかえられたデータを元に戻すデインターリーブ部３１、送信側で付加された冗長ビットを削除するリードソロモン復号化部３２から構成されている。ＲＡＭ３３は、プロセッサ２０のワークエリアであり、ハンドシェイク手順、イニシャライズ手順の実行時に使用される。また、ＲＡＭ３３には、後述するキャリアテーブルが格納される。トランシーバ１１は、ホストインターフェース（Ｉ／Ｆ）３４を介してホスト１２と接続される。
【００３１】
上記ＡＤＳＬモデム装置２に対してメタリックケーブルを介してセンター（ＡＴＵ−Ｃ）側のＡＤＳＬモデム装置が接続される。センター側のＡＤＳＬモデム装置は、上記ＡＤＳＬモデム装置２と同様の構成を備えている。以下、センター側のＡＤＳＬモデム装置についても同一の符号（２）を用いて説明する。なお、センター側は、通信事業者の設置した交換機である場合には、電話機４は存在しない。
【００３２】
上記構成を有するセンター側及びリモート側のＡＤＳＬモデム装置２のプロセッサ２０は、ＩＴＵ−Ｔにより定められた規格Ｇ．９９２．１又はＧ．９９２．２におけるイニシャライズ手順において通信されるＲＥＶＥＲＢ信号に基づいて相手側ＡＤＳＬモデム装置２との通信距離を予測し、その通信距離に応じてＰＳＤ（Power Spectral Density）を変更してｘＤＳＬ通信を行う。具体的には、ハイニシャライズ手順において通信されるＲＥＶＥＲＢ信号の受信レベルに基づいて双方のＡＤＳＬモデム装置２で予測した通信距離に応じて通信信号のスペクトラムを低周波数帯域に寄せてｘＤＳＬ通信を行う。
【００３３】
ここで、本実施の形態に係るＡＤＳＬモデム装置２が通信距離を予測する際に用いるＲＥＶＥＲＢ信号について説明する。このＲＥＶＥＲＢ信号は、規格Ｇ．９９２．１（Ｇ．ＤＭＴ）やＧ．９９２．２（Ｇ．ｌｉｔｅ）における様々な場面でやりとりされるように定められている。
【００３４】
図３は、規格Ｇ．９９２．１における初期シーケンスのタイミングチャートを示す。図３において、左方がセンター（ＡＴＵ−Ｃ）側のＡＤＳＬモデム装置２を示し、右方がリモート（ＡＴＵ−Ｒ）側のＡＤＳＬモデム装置２を示す。ＲＥＶＥＲＢ信号は、同図に示すように、初期シーケンスにおいてセンター側のＡＤＳＬモデム装置２とリモート側のＡＤＳＬモデム装置２との間で３回（Ｃ、Ｒ−ＲＥＶＥＲＢ１〜３）やりとりされる。
【００３５】
図４は、ＲＥＶＥＲＢ信号の周波数特性を示す図である。図４においては、横軸に周波数（ｆ／ＫＨｚ）を示し、縦軸にエネルギ量（Ｇ／ｄＢ）を示している。なお、図４は、ＲＥＶＥＲＢ信号をスペクトラム・アナライザ等の検知装置で検知した場合の周波数特性を示す図である。
【００３６】
ＲＥＶＥＲＢ信号は、同図に示すように、１，１０４ＫＨｚまで４．３１２５ＫＨｚ周期で配列された複数のキャリアに同一のエネルギ量の信号エネルギが付与された周波数特性を有する。４．３１２５ＫＨｚ周期でキャリアが配列されているため、ＲＥＶＥＲＢ信号は、同図に示すように櫛の歯状の周波数特性を有することとなる。なお、ＲＥＶＥＲＢ信号には、データが付与されておらず、信号エネルギのみで構成されている。
【００３７】
図５は、通信距離を変化させた場合におけるＲＥＶＥＲＢ信号の振幅スペクトラムを示す図である。なお、図５においては、横軸にキャリアインデックスを示し、縦軸に信号エネルギの減衰を示している。特に、図５においては、キャリアインデックス＃３２〜＃２５５における振幅スペクトラムを示し、通信距離が０ｋｍ、１ｋｍ、５ｋｍ及び９ｋｍの場合におけるＲＥＶＥＲＢ信号の振幅スペクトラムを示している。
【００３８】
同図に示すように、キャリアインデックスが大きくなるほど信号エネルギの減衰が大きくなり、通信距離が大きくなるほど信号エネルギの減衰が大きくなるのが分かる。具体的には、通信距離が１ｋｍにおいては、キャリアインデックス＃３２で１２ｄＢ及びキャリアインデックス＃２５５で３４ｄＢの信号エネルギの減衰が見られる。同様に、５ｋｍにおいては、キャリアインデックス＃３２で６０ｄＢ及びキャリアインデックス＃２５５で１７０ｄＢの減衰が見られ、９ｋｍにおいては、キャリアインデックス＃３２で１１０ｄＢ及びキャリアインデックス＃２５５で３０９ｄＢの減衰が見られる。なお、通信距離が０ｋｍの場合には信号エネルギの減衰はない。
【００３９】
図６は、図５に示した通信距離と信号エネルギの減衰の関係を示したテーブルである。同図においては、特定のキャリアインデックスにおける信号エネルギの減衰値が登録されている。具体的には、キャリアインデックス＃９、＃１７、＃２５、＃３２、＃６４、＃１２８及び＃２５５における信号エネルギの減衰値が登録されている。本実施の形態においては、このようなテーブルをＲＡＭ３３が格納し、このような信号エネルギの減衰の特性を利用して後述するように相手側ＡＤＳＬモデム装置２との通信距離を予測する。
【００４０】
次に、上記構成を有するＡＤＳＬモデム装置２における通信動作について説明する。図７及び図８は、リモート側の通信システムにおけるＡＤＳＬモデム装置２(以下、リモート側のＡＤＳＬモデム装置２という)の通信動作を説明するためのフロー図であり、図９及び図１０は、センター側の通信システムにおけるＡＤＳＬモデム装置２（以下、センター側のＡＤＳＬモデム装置２という）の通信動作を説明するためのフロー図である。
【００４１】
リモート側のＡＤＳＬモデム装置２は、図７に示すように、通信を開始すると、センター側のＡＤＳＬモデム装置２から送出されるＰｉｌｏｔＴｏｎｅを受信する（ＳＴ７０１）。ＰｉｌｏｔＴｏｎｅは、センター側のＡＤＳＬモデム装置２から双方のＡＤＳＬモデム装置２との間の周波数の微調整を行うために２７６ＫＨｚの周波数を用いて送出されるものである。
【００４２】
ＰｉｌｏｔＴｏｎｅを受信すると、リモート側のＡＤＳＬモデム装置２は、Ｒ−ＲＥＶＥＲＢ１信号を送信する（ＳＴ７０２）。これに応じてセンター側のＡＤＳＬモデム装置２がＣ−ＲＥＶＥＲＢ１信号を返信してくるので、これを受信する（ＳＴ７０３）。
【００４３】
このとき、リモート側のＡＤＳＬモデム装置２は、このＣ−ＲＥＶＥＲＢ１信号の振幅特性を判断し、センター側のＡＤＳＬモデム装置２との通信距離を予測する。通信距離を予測する際、リモート側のＡＤＳＬモデム装置２は、複数のキャリアのうち、特定の２つのキャリアの受信レベルを比較することで相手側ＡＤＳＬモデム装置２との通信距離を予測する。
【００４４】
図８は、リモート側のＡＤＳＬモデム装置２において通信距離を予測する場合のフロー図である。同図に示すように、リモート側のＡＤＳＬモデム装置２は、Ｃ−ＲＥＶＥＲＢ１信号を受信すると（ＳＴ８０１）、キャリアインデックス＃３２とキャリアインデックス＃１２８の受信レベルを比較することで通信距離を予測する。具体的には、キャリアインデックス＃３２の信号エネルギに比べてキャリアインデックス＃１２８の信号エネルギがどれだけ減衰しているかを判断することで通信距離を予測する。このとき、リモート側のＡＤＳＬモデム装置２は、ＲＡＭ３３に格納されたテーブルを参照する。
【００４５】
まず、キャリアインデックス＃３２の信号エネルギに比べてキャリアインデックス＃１２８の信号エネルギが５３ｄＢ以上減衰しているか判断する（ＳＴ８０２）。減衰が５３ｄＢ以下であるならば、ＲＡＭ３３のテーブルに登録されたデータより通信距離が５ｋｍ以下であると予測する（ＳＴ８０３）。一方、５３ｄＢ以上減衰しているならば、通信距離が５ｋｍ以上であると予測する（ＳＴ８０４）。
【００４６】
そして、今度は、キャリアインデックス＃３２の信号エネルギに比べてキャリアインデックス＃１２８の信号エネルギが１９８ｄＢ以上減衰しているか判断する（ＳＴ８０５）。減衰が１９８ｄＢ以下であるならば、通信距離が５ｋｍ以上９ｋｍ以下であると予測する（ＳＴ８０６）。一方、１９８ｄＢ以上減衰しているならば、通信距離が９ｋｍ以上であると予測する（ＳＴ８０７）。
【００４７】
これらの処理により通信距離を予測した後、センター側のＡＤＳＬモデム装置２からＣ−Ｐｉｌｏｔ２信号が送信されてくるので、これを受信する（ＳＴ７０４）。そして、これに応じてＲ−ＱＵＩＥＴ３を送信する（ＳＴ７０５）。このＲ−ＱＵＩＥＴ３を送信した後、リモート側のＡＤＳＬモデム装置２は、ＳＴ７０３で予測した通信距離（以下、通信距離予測値という）に応じて変更したＰＳＤによりＲ−ＥＣＴを送信する（ＳＴ７０６）。そして、このＲ−ＥＣＴに続いて通信距離予測値に応じて変更したＰＳＤによりＲ−ＲＥＶＥＲＢ２を送信する（ＳＴ７０７）。
【００４８】
その後、リモート側のＡＤＳＬモデム装置２は、通信距離予測値に基づいて変更したＰＳＤによりｘＤＳＬ通信を行う（ＳＴ７０８）。そして、通信対象となるデータを送信した後、通信を終了する。なお、ＰＳＤの変更については後述する。
【００４９】
一方、センター側のＡＤＳＬモデム装置２も、リモート側のＡＤＳＬモデム装置２に対応した動作を行う。すなわち、図９に示すように、通信を開始すると、リモート側のＡＤＳＬモデム装置２に対してＰｉｌｏｔＴｏｎｅを送信する（ＳＴ９０１）。これに応じてリモート側のＡＤＳＬモデム装置２がＲ−ＲＥＶＥＲＢ１信号を返信してくるので、これを受信する（ＳＴ９０２）。
【００５０】
このとき、センター側のＡＤＳＬモデム装置２は、このＲ−ＲＥＶＥＲＢ１信号の振幅特性を判断し、リモート側のＡＤＳＬモデム装置２との通信距離を予測する。通信距離を予測する際、リモート側のＡＤＳＬモデム装置２と同様に、複数のキャリアのうち、特定の２つのキャリアの受信レベルを比較することで相手側ＡＤＳＬモデム装置２との通信距離を予測する。
【００５１】
図１０は、センター側のＡＤＳＬモデム装置２において通信距離を予測する場合のフロー図である。同図に示すように、センター側のＡＤＳＬモデム装置２は、Ｒ−ＲＥＶＥＲＢ１信号を受信すると（ＳＴ１００１）、キャリアインデックス＃９とキャリアインデックス＃２５の受信レベルを比較することで通信距離を予測する。具体的には、キャリアインデックス＃９の信号エネルギに比べてキャリアインデックス＃２５の信号エネルギがどれだけ減衰しているかを判断することで通信距離を予測する。このとき、センター側のＡＤＳＬモデム装置２は、ＲＡＭ３３に格納されたテーブルを参照する。
【００５２】
まず、キャリアインデックス＃９の信号エネルギに比べてキャリアインデックス＃２５の信号エネルギが１２ｄＢ以上減衰しているか判断する（ＳＴ１００２）。減衰が１２ｄＢ以下であるならば、ＲＡＭ３３のテーブルに登録されたデータより通信距離が５ｋｍ以下であると予測する（ＳＴ１００３）。一方、１２ｄＢ以上減衰しているならば、通信距離が５ｋｍ以上であると予測する（ＳＴ１００４）。
【００５３】
そして、今度は、キャリアインデックス＃９の信号エネルギに比べてキャリアインデックス＃２５の信号エネルギが２２ｄＢ以上減衰しているか判断する（ＳＴ１００５）。減衰が２２ｄＢ以下であるならば、通信距離が５ｋｍ以上９ｋｍ以下であると予測する（ＳＴ１００６）。一方、１９８ｄＢ以上減衰しているならば、通信距離が９ｋｍ以上であると予測する（ＳＴ１００７）。
【００５４】
これらの処理により通信距離を予測した後、センター側のＡＤＳＬモデム装置２は、この通信距離予測値に応じて変更したＰＳＤによりＣ−ＲＥＶＥＲＢ１信号を送信する（ＳＴ９０３）。そして、これに続いてリモート側のＡＤＳＬモデム装置２に対してＣ−Ｐｉｌｏｔ２信号を送信する（ＳＴ９０４）。これに応じてリモート側のＡＤＳＬモデム装置２からＲ−ＱＵＩＥＴ３及びＲ−ＥＣＴが送信されてくるので、これを受信する（ＳＴ９０５、ＳＴ９０６）。
【００５５】
さらに、これらに続いてリモート側のＡＤＳＬモデム装置２から通信距離予測値に応じて変更したＰＳＤよりＲ−ＲＥＶＥＲＢ２信号が送信されてくるので、これを受信する（ＳＴ９０７）。その後、センター側のＡＤＳＬモデム装置２は、通信距離予測値に基づいて変更したＰＳＤによりｘＤＳＬ通信を行う（ＳＴ９０８）。そして、通信対象となるデータを送信した後、通信を終了する。
【００５６】
ここで、センター側及びリモート側の双方のＡＤＳＬモデム装置２がｘＤＳＬ通信を行う際にＰＳＤを変更する場合の処理について説明する。ここで、ＰＳＤとは、通信信号に割り当てる信号エネルギの密度をいう。図１１は、現在のＡＤＳＬ通信の下り回線において通常用いられるＰＳＤの例を示している。なお、図１１においては、横軸に周波数を示し、縦軸に送信元のＡＤＳＬモデム装置２で割り当てた信号エネルギを示している。
【００５７】
同図に示すように、現在のＡＤＳＬ通信の下り回線においては１３８ＫＨｚ〜１１０４ＫＨｚに信号エネルギのピークを設定してデータ通信に用いている。以下、このデータ通信に用いる周波数帯域をデータ通信帯域という。しかし、通信距離が大きくなると、このデータ通信帯域のうち、高周波数帯域の信号エネルギの減衰が大きくなる。このため、本実施の形態に係るＡＤＳＬモデム装置２においては、このデータ通信帯域の信号エネルギの総量を変えずに高周波数帯域に割り当てられた信号エネルギを低周波数帯域に低周波数帯域に集中させ、低周波数帯域の信号エネルギのピークを上げた状態で通信を行う。
【００５８】
特に、本実施の形態においては、相手側ＡＤＳＬモデム装置２との通信距離に応じてデータ通信帯域の信号エネルギを低周波数帯域に集中させたＰＳＤを３種類用意している。具体的には、相手側ＡＤＳＬモデム装置２との通信距離１ｋｍ、５ｋｍ及び９ｋｍに応じてデータ通信帯域の信号エネルギを低周波数帯域に集中させたＰＳＤを用意している。本実施の形態に係るＡＤＳＬモデム装置２においては、イニシャライズ手順において交換されるＲＥＶＥＲＢ信号から予測された通信距離に応じてこれらのＰＳＤを選択してｘＤＳＬ通信を行う。このように予測された通信距離に応じて変更したＰＳＤによりｘＤＳＬ通信を行うので、通信距離による信号エネルギの減衰の影響を抑制しつつ通信を行うことができる。
【００５９】
なお、ここでは、現在のＡＤＳＬ通信における下り回線におけるデータ通信帯域におけるＰＳＤの変更について説明しているが、これと同様に上り回線においても、相手側ＡＤＳＬモデム装置２との通信距離１ｋｍ、５ｋｍ及び９ｋｍに応じてデータ通信帯域の信号エネルギを低周波数帯域に集中させたＰＳＤを用意している。そして、イニシャライズ手順において交換されるＲＥＶＥＲＢ信号から予測された通信距離に応じてこれらのＰＳＤを選択してｘＤＳＬ通信を行う。
【００６０】
図１２は、本実施の形態に係るＡＤＳＬモデム装置２において、相手側ＡＤＳＬモデム装置２との通信距離に応じて用意されたＰＳＤにおける信号エネルギを説明するための図である。なお、図１２においては、横軸に周波数を示し、縦軸に送信元のＡＤＳＬモデム装置２で割り当てた信号エネルギの割合を示している。
【００６１】
同図に示すＡは、相手側ＡＤＳＬモデム装置２との通信距離が１ｋｍと予測された場合に選択されるＰＳＤにおける信号エネルギを示している。同様に、同図に示すＢ及びＣは、相手側ＡＤＳＬモデム装置２との通信距離がそれぞれ５ｋｍ及び９ｋｍと判断された場合に選択されるＰＳＤにおける信号エネルギを示している。
【００６２】
同図に示すようにＡにおいては、通信距離が１ｋｍと比較的が短く、信号エネルギの減衰が小さいため、データ通信帯域のうち、高周波数帯域の信号エネルギを低周波数帯域に集中させることはしていない。一方、同図に示すＢにおいては、通信距離が５ｋｍと比較的長く、信号エネルギの減衰が大きいため、データ通信帯域のうち、高周波数帯域の信号エネルギを僅かに低周波数帯域に低周波数帯域に集中させている。また、同図に示すＣにおいては、通信距離が９ｋｍと極めて長く、信号エネルギの減衰が極めて大きいため、データ通信帯域のうち、高周波数帯域の信号エネルギを大きく低周波数帯域に低周波数帯域に集中させている。
【００６３】
このように本実施の形態に係るＡＤＳＬモデム装置２によれば、イニシャライズ手順において交換されるＲＥＶＥＲＢ信号の信号エネルギの減衰値から予測した通信距離に基づいてＰＳＤを選択し、言い換えると、データ通信帯域のうち、高周波数帯域の信号エネルギを低周波数帯域に低周波数帯域に集中させてｘＤＳＬ通信を行う。これにより、通信距離の大きさに関わらず影響の小さい低周波数帯域を用いて通信を行うことができるので、従来、利用可能であった通信距離を越えてＡＤＳＬ通信を実行することができる。
【産業上の利用可能性】
【００６４】
本発明に係るＡＤＳＬモデム装置は、相手側ＡＤＳＬモデム装置との通信距離を予測し、予測した通信距離に応じて高周波数帯域の信号エネルギを低周波数帯域に低周波数帯域に集中させてｘＤＳＬ通信を行うようにしたので、従来の通信距離を越えてＡＤＳＬ通信の利用を可能とする点で有用である。
【図面の簡単な説明】
【００６５】
【図１】本発明の一実施の形態に係るＡＤＳＬモデム装置が適用されるリモート側の通信システムの概略構成を示す図
【図２】図１に示すトランシーバの機能ブロック図
【図３】規格Ｇ．９９２．１における初期シーケンスのタイミングチャートを示す図
【図４】ＲＥＶＥＲＢ信号の周波数特性を示す図
【図５】通信距離を変化させた場合におけるＲＥＶＥＲＢ信号の振幅スペクトラムを示す図
【図６】図５に示すＲＥＶＥＲＢ信号における通信距離と信号エネルギの減衰の関係を示したテーブルの一例を示す図
【図７】リモート側の通信システムにおけるＡＤＳＬモデム装置の通信動作を説明するためのフロー図
【図８】リモート側の通信システムにおけるＡＤＳＬモデム装置の通信動作を説明するためのフロー図
【図９】センター側の通信システムにおけるＡＤＳＬモデム装置の通信動作を説明するためのフロー図
【図１０】センター側の通信システムにおけるＡＤＳＬモデム装置の通信動作を説明するためのフロー図
【図１１】現在のＡＤＳＬ通信において用いられるＰＳＤの例を示す図
【図１２】上記実施の形態に係るＡＤＳＬモデム装置において、相手側ＡＤＳＬモデム装置との通信距離に応じて用意されたＰＳＤにおける信号エネルギを説明するための図
【符号の説明】
【００６６】
１  スプリッタ
２  ＡＤＳＬモデム装置
３  ユーザ端末
４  電話機
１１  トランシーバ
１２  ホスト
１３  ＡＦＥ
１４、１８  アナログフィルタ
１５  ドライバ
１６  ハイブリッド
１７  レシーバ
２０  プロセッサ
２１  リードソロモン符号化部
２２  インターリーブ部
２３  トレリス符号化部
２４  トーンオーダリング部
２５  コンステレーション符号化部
２６  ＩＦＦＴ部
２７  ＦＦＴ部
２８  コンステレーション復号化／ＦＥＱ部
２９  トーンデオーダリング部
３０  ビタビ復号化部
３１  デインターリーブ部
３２  リードソロモン復号化部
【図１】
2005057448.tif 000003
【図２】
2005057448.tif 000004
【図３】
2005057448.tif 000005
【図４】
2005057448.tif 000006
【図５】
2005057448.tif 000007
【図６】
2005057448.tif 000008
【図７】
2005057448.tif 000009
【図８】
2005057448.tif 000010
【図９】
2005057448.tif 000011
【図１０】
2005057448.tif 000012
【図１１】
2005057448.tif 000013
【図１２】
2005057448.tif 000014